(57)【要約】【課題】架空線又は棒状部材に着脱自在に固定でき、かつ照明の照射方向が調整可能な作業用照明具を提供する。【解決手段】照明具１０は、開閉するクランプ１、アーム２、及び照明灯３を備える。クランプ１は、架空線１ｗ又は棒状部材を挟持できる。アーム２は、クランプ１の開閉軸に連結されて、屈折自在な一組の関節部２１・２２を有する。照明灯３は、アーム２の先端部に固定されている。クランプ１は、一対の湾曲腕１１・１２とリングばね１３を有している。一対の湾曲腕１１・１２は、それらの先端部を開閉可能に、開閉軸１ａが基端部を互いに連結している。リングばね１３は、一対の湾曲腕１１・１２との先端部が閉じる力を付勢している。【選択図】図１
2010262753.tif 000002
【特許請求の範囲】
【請求項１】
架空線又は棒状部材を挟持可能な開閉するクランプと、
このクランプの開閉軸に連結されて、一つ以上の屈折自在な関節部を有するアームと、
このアームの先端部に固定された照明灯と、を備え、
前記クランプは、先端部を開閉可能に前記開閉軸が基端部を互いに連結する一対の湾曲腕と、これらの湾曲腕の先端部が閉じる力を付勢する付勢手段と、有する作業用照明具。
【請求項２】
前記一対の湾曲腕の内の一方の湾曲腕は、その先端部に向かって分岐する一対の分岐腕を有し、
前記一対の湾曲腕の内の他方の湾曲腕は、その先端部が前記一対の分岐腕の間に位置して進退する単一腕を有する請求項１記載の作業用照明具。
【請求項３】
前記クランプは、前記一対の湾曲腕の基端部が延長されて、開角する一対の操作片を有し、
これらの操作片は、ホットスティックの先端部に取り付けた把持工具の先端部に設けた開閉する一対の把持片を受入可能な凹部が外面に形成されている請求項１又は２記載の作業用照明具。
【発明の詳細な説明】
【技術分野】
【０００１】
本発明は、作業用照明具に関する。特に、間接活線工法による夜間の配電工事に好適な作業用照明具に関する。
【背景技術】
【０００２】
架空線を無停電で配電工事を行う活線作業には、直接活線工法と間接活線工法の二通りがある。直接活線工法は、高圧ゴム手袋などの保護具を着用した作業者が、通電中の架空線に直接触れて配電工事を行う。一方、間接活線工法は、ホットスティック（絶縁操作棒）などを用いて、作業者が通電中の架空線に直接触れることなく配電工事を行うことができる。近年では、作業環境の改善・本質安全化の観点から、直接活線工法から間接活線工法へと転換が進行している。
【０００３】
ホットスティックは、先端部に配電工事を行う工具を備えており、この工具を手許の操作部で遠隔操作できる。配電工事を行う作業者は、ホットスティックを用いて、架空線を切断、又は接続する作業ができる。
【０００４】
例えば、停電事故の復旧工事などにおいて、上述した間接活線工法による配電工事が夜間に行われることがある。そして、この夜間工事では、地上からの照明やキャップライト又は照明具を電柱に固定するなどして、作業を実施している。
【０００５】
しかし、前述した照明では、作業者又は工具が影となって、作業箇所を見え難くしている。特に、ホットスティックを用いる場合は、工具の詳細が不明瞭であり、細かい配電工事を困難としているという不具合がある。
【０００６】
このような不具合に対して、作業箇所に容易に光を当てることができ、作業者の負担を軽減すると共に、作業能率の向上に寄与できる作業用照明具が開示されている（例えば、特許文献１参照）。
【０００７】
特許文献１による作業用照明具は、バッテリーを内蔵するケース体と首振り可能な照明体を備えている。ケース体の外周面には、逆Ｕ字状の取り付け部材を取り付けている。この取り付け部材は、配電作業に使用する高所作業車のバケットの上縁部分に取り付けることができる。又、照明体は、固定部を介在してケース体に配設している。
【０００８】
又、上記の不具合に対して、夜間や暗所などにおける電線の端末処理作業などにおいて、接続スリーブの導体挿入部の孔が影になる場合、導体挿入部の孔が暗くても確実にとらえて、配電工事の作業効率を向上できる作業用照明具が開示されている（例えば、特許文献２参照）。
【０００９】
特許文献２による作業用照明具は、電線や配管などの被挟持物に挟着する作業用照明具であって、一対の挟持片、付勢手段、及び複数の発光体を備えている。一対の挟持片は、先端部が開閉できるように、互いに連結されている。付勢手段は、これらの両挟持片の先端部が閉じる方向に力を付勢している。複数の発光体は、両挟持片の先端部に配設されている。
【先行技術文献】
【特許文献】
【００１０】
【特許文献１】実開平７−４０２７９号公報
【特許文献２】特開２００７−２００７６０号公報
【発明の概要】
【発明が解決しようとする課題】
【００１１】
特許文献１による作業用照明具は、高所作業車が駐車可能な平地での間接活線工法による配電工事を前提としている。しかし、例えば、山間部などでは高所作業車が駐車困難な場合がある。又、緊急工事の場合は、高所作業車の手配が間に合わない場合もある。
【００１２】
一方、特許文献２による作業用照明具は、実態として、電線に被せる絶縁シートの開封部を圧接する圧縮工具に適用され、用途が限定されている。又、この圧縮工具に複数の発光体が固定されているので、照明の照射方向が特定されるという問題がある。
【００１３】
例えば、架空線又はホットスティックの先端側に着脱自在に固定でき、かつ照明の照射方向が調整可能な作業用照明具が実現できれば、高所作業車を要することなく、作業箇所に容易に光を当てることができ、作業能率の向上に寄与できる。そして、以上のことが本発明の課題といってよい。
【００１４】
本発明は、このような問題に鑑みてなされたものであり、架空線又は棒状部材に着脱自在に固定でき、かつ照明の照射方向が調整可能な作業用照明具を提供することを目的とする。
【課題を解決するための手段】
【００１５】
本発明者は、架空線又は棒状部材に着脱自在に固定するクランプと、このクランプに連結する関節アームの先端部に固定された照明灯とで作業用照明具を構成することにより、これらの課題が解決可能なことを見出し、これに基づいて、以下のような新たな作業用照明具を発明するに至った。
【００１６】
（１）  架空線又は棒状部材を挟持可能な開閉するクランプと、このクランプの開閉軸に連結されて、一つ以上の屈折自在な関節部を有するアームと、このアームの先端部に固定された照明灯と、を備え、前記クランプは、先端部を開閉可能に前記開閉軸が基端部を互いに連結する一対の湾曲腕と、これらの湾曲腕の先端部が閉じる力を付勢する付勢手段と、有する作業用照明具。
【００１７】
（１）の発明による作業用照明具は、開閉するクランプ、アーム、及び照明灯を備えている。クランプは、架空線又は棒状部材を挟持可能である。アームは、クランプの開閉軸に連結されており、一つ以上の屈折自在な関節部を有している。照明灯は、アームの先端部に固定されている。
【００１８】
クランプは、一対の湾曲腕と付勢手段を有している。一対の湾曲腕は、それらの先端部を開閉可能に、開閉軸が基端部を互いに連結している。付勢手段は、一対の湾曲腕の先端部が閉じる力を付勢している。
【００１９】
例えば、クランプは、「棒状の物を締めつけて固定するための、湾曲した帯状の金具」と、辞書で定義されている。ここで、開閉するクランプとは、一対の開閉部材（一対の湾曲腕）が開いて、架空線又は棒状部材を受入れることを意味している。そして、一対の開閉部材が閉じて、架空線又は棒状部材を挟持（クランプ）できる。開閉するクランプは、伸長する棒状の物（架空線又は棒状部材）を任意の位置ですばやく固定できる。
【００２０】
ここでいう棒状部材とは、ホットスティックの柄部を想定している。一般に、ホットスティックは、架空線を配電工事する工具を取り付け可能な工具部、この工具部の工具を遠隔操作する操作部、及び前記工具部と前記操作部とを連結する長尺の管体からなる柄部を備えている。
【００２１】
この発明による作業用照明具のクランプを工具部の近傍の柄部に取り付ければ、作業箇所に容易に光を当てながら配電工事することができる。しかし、棒状部材は、ホットスティックの柄部に必ずしも限定されない。作業箇所の近傍に棒状部材があればよく、電柱に設けられた昇柱用ボルトにこのクランプを取り付けてもよい。
【００２２】
クランプの主構成となる一対の湾曲腕は、絶縁性を有することが好ましく、短絡を防止できる。絶縁性を有する湾曲腕とは、非導電性の材料からなる湾曲腕のことであってよく、合成樹脂を成形して、所望の形状の絶縁性の湾曲腕を得ることができる。
【００２３】
開閉軸は、一対の湾曲腕の内のいずれか一方に固定してよく、架空線又は棒状部材の伸長方向と略平行に延長されてよく、アームの基端部を構成している。アームは、基端部から先端部に至る経路に一つ以上の屈折自在な関節部を有している。関節部は、二つ設けることが好ましい。関節部は、所定の屈折角度に調整されて、ねじなどの締結具で固定されることが好ましい。
【００２４】
照明灯は、夜間での作業箇所が７０ルクス以上の照度を確保することが好ましい。例えば、照明灯は、筒体に乾電池を内蔵する懐中電灯であってよく、先頭に配置される電球は、白熱電球であってよく、ＬＥＤであってもよい。ＬＥＤは、寿命が長くて消費電力が少なくてすむというメリットがある。懐中電灯をアームの先端部に着脱自在に固定することが好ましく、懐中電灯が旋回する台座をアームの先端部に設けてもよい。
【００２５】
各湾曲腕は、緩やかな曲率で円弧を形成することが好ましく、一対の湾曲腕の略平行な内壁で架空線又は棒状部材を挟持すれば、これらの直径が限定されないで済む。一対の湾曲腕の略平行な内壁にゴム板を貼着すれば、架空線又は棒状部材との滑りを防止できる。
【００２６】
付勢手段は、実体として鋼線からなる「ばね」が好ましく用いられてよく、一部が断絶したリング状の鋼線ばねが開閉軸を包囲するように配置してよく、リング状の鋼線ばねの対向する一対の先端部を一対の湾曲腕の外側に当接すれば、これらの湾曲腕の先端部が閉じる力を付勢できる。
【００２７】
又、付勢手段は、ねじりコイルばねを用いてもよく、巻回部を開閉軸に被装してよく、Ｖ字状に開角する一対のコイル端末を後述する一対の操作片の内側に配置すれば、これらの湾曲腕の先端部が閉じる力を付勢できる。
【００２８】
（１）の発明による作業用照明具は、架空線又は棒状部材に着脱自在に固定するクランプを備えているので、高所作業車を必ずしも必要としないという利点がある。又、（１）の発明による作業用照明具は、クランプに連結する屈折自在なアームの先端部に固定された照明灯を備えているので、照明の照射方向が調整可能であり、作業箇所に容易に光を当てることができる。
【００２９】
（２）  前記一対の湾曲腕の内の一方の湾曲腕は、その先端部に向かって分岐する一対の分岐腕を有し、前記一対の湾曲腕の内の他方の湾曲腕は、その先端部が前記一対の分岐腕の間に位置して進退する単一腕を有する（１）記載の作業用照明具。
【００３０】
（２）の発明による作業用照明具は、前記一対の湾曲腕を一対の分岐腕と一対の分岐腕の間に位置して進退する単一腕とで構成しているので、架空線又は棒状部材には軸方向を曲げる力が作用し、架空線又は棒状部材にクランプを強固に把持できる。又、様々な太さ（直径）の架空線又は棒状部材を把持できる。
【００３１】
（３）  前記クランプは、前記一対の湾曲腕の基端部が延長されて、開角する一対の操作片を有し、これらの操作片は、ホットスティックの先端部に取り付けた把持工具の先端部に設けた開閉する一対の把持片を受入可能な凹部が外面に形成されている（１）又は（２）記載の作業用照明具。
【００３２】
（３）の発明による作業用照明具は、ホットスティックを用いて容易に操作でき、高所の架線に予め固定できる。
【発明の効果】
【００３３】
本発明による作業用照明具は、架空線又は棒状部材に着脱自在に固定するクランプを備えているので、高所作業車を必ずしも必要としないという利点がある。又、本発明による作業用照明具は、クランプに連結する屈折自在なアームの先端部に固定された照明灯を備えているので、照明の照射方向が調整可能であり、作業箇所に容易に光を当てることができる。
【図面の簡単な説明】
【００３４】
【図１】本発明の一実施形態による作業用照明具の外観を示す正面図である。
【図２】前記実施形態による作業用照明具の外観を示す左側面図である。
【図３】前記実施形態による作業用照明具に備わるクランプの正面図である。
【図４】前記実施形態による作業用照明具に備わるクランプの左側面図である。
【図５】前記実施形態による作業用照明具及びホットスティックの斜視図であり、作業用照明具をホットスティックに取り付けた状態図である。
【発明を実施するための形態】
【００３５】
以下、図面を参照して本発明を実施するための形態を説明する。
【００３６】
図１は、本発明の一実施形態による作業用照明具の外観を示す正面図である。図２は、前記実施形態による作業用照明具の外観を示す左側面図である。図３は、前記実施形態による作業用照明具に備わるクランプの正面図である。図４は、前記実施形態による作業用照明具に備わるクランプの左側面図である。図５は、前記実施形態による作業用照明具及びホットスティックの斜視図であり、作業用照明具をホットスティックに取り付けた状態図である。
【００３７】
最初に、本発明の実施形態による作業用照明具（以下、照明具と略称する）の構成を説明する。図１又は図２を参照すると、照明具１０は、開閉するクランプ１、アーム２、及び照明灯３を備えている。クランプ１は、架空線１ｗを挟持できる。又、クランプ１は、ホットスティック９の柄部９３のような棒状部材も挟持できる。
【００３８】
図１又は図２を参照すると、クランプ１は、開閉軸１ａの一端を軸方向に延長している。アーム２の基端部は、開閉軸１ａの延長端部と屈折自在に連結する第１関節部２１を構成している。又、アーム２の先端部は、台座４と屈折自在に連結する第２関節部２２を構成している。そして、照明灯３は、台座４に固定されている。言い換えると、照明灯３は、台座４を介在して、アーム２の先端部に固定されている。
【００３９】
図３又は図４を参照すると、クランプ１は、一対の湾曲腕１１・１２を有している。又、クランプ１は、付勢手段となる一対のリング状の鋼線ばね（以下、リングばねという）１３・１３を有している。一対の湾曲腕１１・１２は、それらの先端部を開閉可能に、開閉軸１ａが基端部を互いに連結している。一対のリングばね１３・１３は、一対の湾曲腕１１・１２の先端部が閉じる力を付勢している。
【００４０】
図３又は図４を参照すると、一方の湾曲腕１１は、その先端部に向かって分岐する一対の分岐腕１１１・１１１を有している。他方の湾曲腕１２は、その先端部が一対の分岐腕１１１・１１１の間に位置して進退する単一腕１２１を有している。
【００４１】
又、図３又は図４を参照すると、クランプ１は、一対の湾曲腕１１・１２の基端部が延長されて、開角する一対の操作片１１２・１２２を有している。一対のリングばね１３・１３の付勢力に抗して、操作片１１２と操作片１２２を相対的に近づけると、一対の湾曲腕１１・１２の先端部を開くことができる。
【００４２】
図３又は図４を参照すると、一対の操作片１１２・１２２は、それらの外面に凹部１１ａ及び凹部１２ａを形成している。なお、一対の操作片１１２・１２２に設けた凹部１１ａ及び凹部１２ａの作用は、後述する。
【００４３】
図３又は図４において、一対の湾曲腕１１・１２は、絶縁性の合成樹脂で成形している。開閉軸１ａの延長部分は、一方の湾曲腕１１と一体で成形されている。クランプ１の主構成となる一対の湾曲腕１１・１２は、絶縁性を有しているので、例えば、架空線１ｗとの短絡を防止できる（図２参照）。
【００４４】
図１又は図２を参照すると、アーム２の基端部は、二股に分岐しており、開閉軸１ａの延長端部を把持している。第１関節部２１は、固定ねじ２１ａを設けている。固定ねじ２１ａの頭部のつまみを一方の方向に回転すると、開閉軸１ａの延長端部をアーム２の基端部が締結して、開閉軸１ａとアーム２の屈折角度が固定される。固定ねじ２１ａの頭部のつまみを他方の方向に回転すると、開閉軸１ａの延長端部とアーム２の基端部の締結が解除されて、開閉軸１ａとアーム２の屈折角度を調整できる。
【００４５】
又、図１又は図２を参照すると、アーム２の先端部は、二股に分岐しており、台座４の支持軸を把持している。第２関節部２２は、固定ねじ２２ａを設けている。固定ねじ２２ａの頭部のつまみを一方の方向に回転すると、台座４の支持軸をアーム２の先端部が締結して、台座４とアーム２の屈折角度が固定される。固定ねじ２２ａの頭部のつまみを他方の方向に回転すると、台座４の支持軸とアーム２の先端部の締結が解除されて、台座４とアーム２の屈折角度を調整できる。
【００４６】
図１又は図２を参照すると、照明灯３は、筒体に乾電池を内蔵する懐中電灯を使用している。この懐中電灯の先端にＬＥＤ（図示せず）を配置しており、夜間での作業箇所が７０ルクス以上の照度を確保するように構成している。
【００４７】
図１又は図２を参照すると、台座４は、一端が開口した照明灯用のクリップ４ｂを備えている。クリップ４ｂの開口部分をビスで締結して、照明灯３を固定できる。又、クリップ４ｂは、台座４の本体と回転可能に連結している。
【００４８】
図１又は図２を参照すると、台座４は、本体の外周に固定ねじ４ａを設けている。固定ねじ４ａを一方の方向に回転すると、台座４に対して照明灯３を旋回できる。固定ねじ４ａを他方の方向に回転すると、台座４に対する照明灯３の旋回角度を固定できる。
【００４９】
次に、本発明の実施形態による照明具１０の作用を説明する。
【００５０】
図１又は図２を参照すると、固定ねじ２１ａを緩めると、開閉軸１ａに対して、アーム２を第１の方向Ｒ又は第２の方向Ｌに回動できる。固定ねじ２２ａを緩めると、アーム２に対して、台座４を第１の方向Ｒ又は第２の方向Ｌに回動できる。固定ねじ４ａを緩めると、台座４に対して照明灯３を第３の方向Ｐ、又は第４の方向Ｑに旋回できる。
【００５１】
このように、本発明の実施形態による照明具１０は、互いに屈折可能な二つの関節部２１・２２を有し、更に、台座４に対して、旋回可能なクリップ４ｂに照明灯３を固定しているので、照明灯３を所望の方向に向けることができる。つまり、照明の照射方向を調整できる。
【００５２】
図１から図４を参照すると、一対の湾曲腕１１・１２は、緩やかな曲率で円弧を形成しており、挟持される架空線１ｗ又は棒状部材の直径を比較的限定しない。一対の湾曲腕１１・１２は、それらの内壁にゴム板１１ｒ・１２ｒを貼着しているので、架空線１ｗ又は棒状部材との滑りを防止できる。
【００５３】
本発明の実施形態によるクランプ１は、伸長する棒状の物（架空線又は棒状部材）を外周方向から、任意の位置ですばやく固定できるので、配電工事に適している。
【００５４】
図５を参照すると、本発明の実施形態によるクランプ１は、ホットスティック９の柄部９３を挟持することもできる。図５に示されたホットスティック９は、架空線１ｗを配電工事する工具を取り付け可能な工具部９１、工具部９１の工具を遠隔操作する操作部９２、及び工具部９１と操作部９２とを連結する長尺の管体からなる柄部９３を備えている。
【００５５】
本発明の実施形態によるクランプ１を工具部９１の近傍の柄部９３に取り付ければ、作業箇所に容易に光を当てながら配電工事することができる。又、クランプ１を架空線１ｗに取り付ければ、作業箇所に容易に光を当てながら配電工事することができる。
【００５６】
本発明の実施形態による照明具１０は、架空線１ｗ又は棒状部材に着脱自在に固定するクランプ１を備えているので、高所作業車を必ずしも必要としないという利点がある。又、本発明の実施形態による照明具１０は、クランプ１に連結する屈折自在なアーム２の先端部に固定された照明灯３を備えているので、照明の照射方向が調整可能であり、作業箇所に容易に光を当てることができる。
【００５７】
本発明の実施形態による照明具１０は、図５に示される使用形態も実施できる。図５を参照すると、ホットスティック９の先端部の工具部９１には、把持工具９０を取り付けている。把持工具９０は、開閉する一対の把持片９ａ・９ｂを備えている。一方の把持片９ａは、基端部が固定された固定片であり、他方の把持片９ｂは、その基端部が一方の把持片９ａに回動可能に連結する可動片となっている。
【００５８】
図５を参照すると、ホットスティック９は、柄部９３と略平行に作動棒９ｃを保持している。そして、作動棒９ｃの先端部は、他方の把持片９ｂに回動可能に連結し、作動棒９ｃの基端部は、操作レバー９ｄに連結している。
【００５９】
図５を参照すると、操作レバー９ｄを操作部９２に近づけると、一対の把持片９ａ・９ｂを閉じることができる。操作レバー９ｄを操作部９２から離間すると、一対の把持片９ａ・９ｂを開くことができる。このように、把持工具９０は、操作レバー９ｄを操作して、高所の架線などの被挟持物を把持できる。
【００６０】
図５を参照すると、一対の把持片９ａ・９ｂの先端部は、照明具１０の一対の操作片１１２・１２２に設けた凹部１１ａ及び凹部１２ａに連結している。図示された照明具１０は、操作レバー９ｄを操作して、一対の湾曲腕１１・１２を開閉できる（図３及び図４参照）。
【００６１】
図５に示された照明具１０は、ホットスティック９に予め連結しておいてよく、ホットスティック９を用いて、高所の架空線１ｗに照明具１０を固定できる（図１参照）。そして、夜間の配電工事において、作業箇所に容易に光を当てることができ、作業能率の向上に寄与できる。
【符号の説明】
【００６２】
１  クランプ
１ａ  開閉軸
１ｗ  架空線
２  アーム
３  照明灯
１０  照明具（作業用照明具）
１１・１２  一対の湾曲腕
１３  リングばね（付勢手段）
２１  第１関節部（関節部）
２２  第２関節部（関節部）
【図１】
2010262753.tif 000003
【図２】
2010262753.tif 000004
【図３】
2010262753.tif 000005
【図４】
2010262753.tif 000006
【図５】
2010262753.tif 000007